(57)【要約】【課題】強風時や不使用時には完全に折畳んで左右両側或いは中央に寄せ集めてコンパクトにまとめることができるとともに、使用の際には風と光の通過量を簡単に調整することができる開閉式日除けを提供する。【解決手段】開閉自在及び折畳自在に一体化された開閉部を有するシェード本体３０を備え、各シェード本体３０を立て付ける枠体２０には、上部構造部である庇Ｒに固定される上部枠２０Ａと、下部構造部であるフェンスＦに固定される下部枠２０Ｂとを備え、上部枠２０Ａ及び下部枠２０Ｂにはそれぞれガイドレールを設けるとともに、各シェード本体３０側の開閉部を構成する複数の板材(スラット)の上端部及下端部にはガイドレールに係合する回転部材を設け、開閉部に設けた框部材には仮止め金具（ストッパ）を設け、各シェード本体３０の互いに対向する框部材には、互いに相手側のシェード本体３０の框部材と一体に連結可能な連結手段を設けた。【選択図】図１
0003156356.tif 000002
【実用新案登録請求の範囲】
【請求項１】
庇などの上部構造部とフェンスなどの下部構造部とで構成する、上部及び下部の構造部の間に、左右両端側に框部材が取付けられているとともに開閉自在及び折畳自在に一体化された開閉部を有する、シェード本体を備え、
前記上部構造部及び下部構造部の前記各シェード本体を立て付ける枠体には、前記上部構造部に固定される上部枠と、前記下部構造部に固定される下部枠とを備え、
前記上部枠及び下部枠にはそれぞれガイドレールを設けるとともに、前記各シェード本体側の前記開閉部を構成する複数の板材(スラット)の上端部及下端部には前記ガイドレールにスライド自在に係合する回転部材を設け、
前記開閉部に設けた框部材には仮止め金具（ストッパ）を設け、
前記各シェード本体の互いに対向する框部材には、互いに相手側のシェード本体の框部材と一体に連結可能な連結手段を設けた、
ことを特徴とする開閉式日除け。
【請求項２】
前記シェード本体の上部回転部材は、支持材に水平軸を介して回転可能に取り付けられたローラを備え、
前記複数の板材に対して前記ローラが交互に相反位置となるように前記支持材を板材にそれぞれ取り付け、
前記上部枠のガイドレールは、前記支持材を摺動させるスリットを挟んで平行に２列設けられ、
この２列のガイドレールに対して前記ローラが交互に２列に係合してそれぞれ移動するように構成されていることを特徴とする請求項１に記載の開閉式日除け。
【請求項３】
前記シェード本体を立て付ける枠体は、上部枠と、下部枠とから構成され、
前記上部枠及び下部枠は建物の外壁にビス止めする取付部が上下に設けられ、
上部枠の上取付部及び下部枠の下取付部は断面略コ字形に形成され、
ビス止めしたビスが外部に露出しないように隠蔽材をそれぞれ嵌着することを特徴とする請求項１又は２に記載の開閉式日除け。
【請求項４】
前記枠体と同じ材質で形成された下地枠体を建物の外壁に取り付け、
この下地枠体に対して前記枠体を取り付けることを特徴とする請求項１ないし請求項３のいずれかに記載の開閉式日除け。
【考案の詳細な説明】
【技術分野】
【０００１】
本考案は、使用の際に必要に応じて風と光の通過量を簡単に調整することができ、また普段使わないときには完全に折り畳んでコンパクトにまとめることができる、開閉式日除けに関するものである。
【背景技術】
【０００２】
従来、強い日差しを遮るのに最も簡便な手段として、一般に家屋の窓などに小型の「簾（すだれ）」を吊下げて使用したり、「葦簀（よしず）」を立て掛けることなどが行われてきている。ところで、これら簾や葦簀などの日除けは、その販売などに当たって、通常、ロール状に巻き付けて嵩低くなるようにして包装され、取り扱いが容易なようになされている。
【０００３】
一方、この種の商品は、使用される箇所が建築手法上標準寸法に仕上げられている関係から、幅寸法などが所定寸法に仕上げられて販売されている。また、例えば小型の簾などの場合には、窓枠などを利用して取付けられた吊金具に掛け止めて吊下げるようにされている。このため、その上下端部には剛性のある緊張部材がそれぞれ付され、使用時に吊下げられる遮光部が展開状態を維持できるようになされている。そして、上下両端部の緊張部材は、所要幅寸法に相当する長さの一本ものであるので、吊下げられる遮光部分は緊張部材の長さ寸法で吊下げ長さ相当分を巻き付けるか吊下げ長さ方向に適宜寸法で折り畳むようにして取り扱われている。
【０００４】
また、通常、「簾」のような日除けにあっては、窓枠外に配設された吊金具に、上端部の緊張部材に付設の掛け金で吊り掛けて垂らした状態にて使用されるのが一般的であるので、日差しが室内まで差し込まない季節になると不要になる。ところが、不要になると取り外すのは厄介であるので、巻き上げてそのままにしておく場合が多い。このとき、下端部から巻き上げた遮光部分を保持するのに、「簾」を形成する多数編まれた横材間に別途紐を通して縛るなどして仮保持していることが多い。あるいはこの操作を容易に行うための巻き上げ器などについての提案もなされている。
【０００５】
しかしながら、従来、汎用されている「簾」やこれに類する日除けは、全体的に嵩張り、特に「簾」の場合、その構成上編み上げられている横材が、天然物の葦や竹ひごあるいは合成樹脂製の細いパイプ材というように折り曲げると用を成さない材料が使用されている。従って、生産者から需要者までの流通段階での取り扱いが不便であると同時に、輸送コストが嵩むという問題点がある。また、使用者も例えば日差しの強い季節を過ぎて使用しなくなると、嵩張るために収納するのに不便であるという問題がある。
【０００６】
また、使用時にも前述のように「簾」を巻き上げて仮保持するのに別途に紐を準備しておいてその紐を用いて「簾」の一部を通して縛るというような操作を行うのでは不便である。
【０００７】
そこで、使用されないときには折り畳むことができて嵩低くでき、使用に際しては展開状態を維持できる構成とされ、取扱いを容易にした日除けが提案されている(例えば、特許文献１参照)。即ち、この日除けは、図１７に示すように、遮光機能を備えて折り曲げ可能な可とう性材料で所要寸法に形成される遮光ウエブ材１０１に、緊張部材１０２をその両端で一体的に取付けて、一方の緊張部材１０２に吊り掛け金具１０３を取付けてなる日除け１００であって、緊張部材１０２は中間部で分断され、その緊張部材１０２の分断部分１０２Ａには、使用時に外部から所要区間で緊張部材１０２の外周面を被覆して一体的に繋いで遮光ウエブ材１０１を展開保持する着脱固定可能な継ぎ手部材１０４が装着されている。なお、図中符号１０５は係止紐、１０６は止め具を示す。
【先行技術文献】
【特許文献】
【０００８】
【特許文献１】特開２００５−１６３３３２号公報
【考案の概要】
【考案が解決しようとする課題】
【０００９】
ところで、このような日除けにあっては、嵩高を低くして折り畳むことができる点では好ましいものであるが、風や光の通過量が調整できる構成となっていない。従って、日差しの強さや風量に応じて通過量を好みの量に変更できない。さらに、このような簾は、一般に、上部のみで固定して吊下げる構成であるので、ある程度の強さを上回る風が吹くときには折畳んで風を避けるようにするか、取外すような措置が必要であるが、その折畳み作業や取外し作業はそれほど簡単ではない。
【００１０】
そこで、本考案は、上記した事情に鑑み、強風時や不使用時には完全に折畳んでコンパクトにまとめることができるとともに、使用の際には風と光の通過量を簡単に調整することが可能な開閉式日除けを提供することである。
【課題を解決するための手段】
【００１１】
上記目的を達成するために、本考案の開閉式日除けは、
（１）  庇などの上部構造部とフェンスなどの下部構造部とで構成する、上部及び下部の構造部の間に、左右両端側に框部材が取付けられているとともに開閉自在及び折畳自在に一体化された開閉部を有する、シェード本体を備え、
前記上部構造部及び下部構造部の前記各シェード本体を立て付ける枠体には、前記上部構造部に固定される上部枠と、前記下部構造部に固定される下部枠とを備え、
前記上部枠及び下部枠にはそれぞれガイドレールを設けるとともに、前記各シェード本体側の前記開閉部を構成する複数の板材(スラット)の上端部及下端部には前記ガイドレールにスライド自在に係合する回転部材を設け、
前記開閉部に設けた框部材には仮止め金具（ストッパ）を設け、
前記各シェード本体の互いに対向する框部材には、互いに相手側のシェード本体の框部材と一体に連結可能な連結手段を設けた、ことを特徴とする。
この構成によれば、庇などの上部構造部とフェンスなどの下部構造部との間に上部枠及び下部枠を介して設置した各シェード本体の開閉部の両端部を構成する框部材の少なくとも何れか一方をスライドさせることで、開閉部を構成するスラット間の開閉角度を変化させることができるので、風や光の通過量を自在に変更できる。
また、この構成によれば、台風などの強風のときや全く使用しない季節などには、各開閉部について引き分けることで、つまり、その両端部に設けた框部材を引き寄せるようにして移動させることで、簡単に小さく折畳むことができる。即ち、台風などの強風のときや全く使用しない季節などには、邪魔にならないようにコンパクトに折畳んで片隅に寄せておくことができる。
【００１２】
（２）、前記（１）に記載の開閉式日除けにおいて、
前記シェード本体の上部回転部材は、支持材に水平軸を介して回転可能に取り付けられたローラを備え、
前記複数の板材に対して前記ローラが交互に相反位置となるように前記支持材を板材にそれぞれ取り付け、
前記上部枠のガイドレールは、前記支持材を摺動させるスリットを挟んで平行に２列設けられ、
この２列のガイドレールに対して前記ローラが交互に２列に係合してそれぞれ移動するように構成されている、ことを特徴とする。
この構成によれば、シェード本体の移動手段であるガイドレールが、簡単な構造のもので実現可能となるので、製造コストの削減にもつながる。
【００１３】
（３）、また、前記（２）に記載の開閉式日除けにおいて、
前記シェード本体を立て付ける枠体は、上部枠と、下部枠とから構成され、
前記上部枠及び下部枠は建物の外壁にビス止めする取付部が上下に設けられ、
上部枠の上取付部及び下部枠の下取付部は断面略コ字形に形成され、
ビス止めしたビスが外部に露出しないように隠蔽材をそれぞれ嵌着する、ことを特徴とする。
この構成によれば、シェード本体を立て付ける上部枠体及び下部枠体が、上部構造部及び下部構造部に簡単取付けられる構造なので、現場での設置が容易でさらにコストの削減にもつながる。
【００１４】
（４）、前記（１）ないし（３）のいずれかに記載の開閉式日除けにおいて、
前記枠体と同じ材質で形成された下地枠体を建物の外壁に取り付け、この下地枠体に対して前記枠体を取り付ける、ことを特徴とする。
この構成によれば、建物の開口部に取り付けられているサッシュ又はサッシュに装備されている網戸が外壁面より外方に突出している場合には、枠体を外壁面に直付けすると、例えばシェード本体２がサッシュ又は網戸に接触して開閉できず、或いは開閉に支障を来たすことがある。このような場合であっても、建物の外壁に下地枠体を取り付け、この下地枠体に対して枠体を取り付けることにより、シェード本体とサッシュ又は網戸との間に充分な空間を保持して接触を防止しながら、開閉式日除けを設置できる。
【考案の効果】
【００１５】
本考案の開閉式日除けは、上部構造部と下部構造部とで構成する、上部及び下部の構造部の間に、左右両側に框部材が取付けられているとともに開閉自在及び折畳自在に一体化された開閉部を有するシェード本体を備え、上部構造部及び下部構造部の各シェード本体を立て付ける枠体には、上部構造部に固定される上部枠と、下部構造部に固定される下部枠とを備え、上部枠及び下部枠にはそれぞれガイドレールを設けるとともに、各シェード本体側の開閉部を構成する複数の板材(スラット)の上端部及下端部にはガイドレールに係合する回転部材を設けている。従って、強風時や不使用時には、開閉部を自由に折畳んで左右両側に引き分け、或いは中央に寄せ集め、コンパクトにまとめることができるとともに、使用の際には風と光の通過量を簡単に調整することが可能になるという利点がある。
【図面の簡単な説明】
【００１６】
【図１】本考案の第１の実施形態を示す側面図である。
【図２】その正面図である。
【図３】（Ａ）及び（Ｂ）は本考案の上部枠及び下部枠（枠体）を示す断面図である。
【図４】（Ａ）及び（Ｂ）は本考案の開閉部を連結させた状態及び引き分けた状態を示す平面図である。
【図５】本考案の開閉部の一部を構成する板材（スラット）を示す断面図である。
【図６】本考案の開閉部の一部を構成する連結杆を示すものであり、（Ａ）は長連結杆、（Ｂ）は短連結杆をそれぞれ示す断面図である。
【図７】（Ａ）及び（Ｂ）は本考案の開閉部のうち外側框寄りのものを一部開いた状態及び完全に開いた状態を示す説明図である。
【図８】（Ａ）及び（Ｂ）は本考案の開閉部のうち連結框寄りのものを一部開いた状態及び完全に開いた状態を示す説明図である。
【図９】（Ａ）及び（Ｂ）は本考案の開閉部のうち被連結框寄りのものを一部開いた状態及び完全に開いた状態を示す説明図である。
【図１０】本考案の開閉部の連結杆の取り付け状態を示す断面図である。
【図１１】（Ａ）及び（Ｂ）は、それぞれ、本考案の開閉部と上部回転部材及び下部回転部材との接続状態を示す断面図である。
【図１２】（Ａ）及び（Ｂ）は、それぞれ、本考案の開閉部と連結框及び連結框寄りとの接続状態を示す断面図である。
【図１３】（Ａ）は、本考案の一方側の開閉部を完全に開いた状態を示す説明図、（Ｂ）及び（Ｃ）はその開閉部の開き具合を変更させた状態を示す説明図である。
【図１４】（Ａ）は、本考案の左右一対の開閉部における完全に開いた状態を示す説明図、（Ｂ）はその開閉部の開き具合を変更させた状態を示す説明図、及び（Ｃ）は片側の開閉部のみ折り畳んだ状態を示す説明図である。
【図１５】本考案の左右一対の開閉部を完全に折り畳んだ状態を示す正面図である。
【図１６】本考案の第２の実施形態における開閉部の上部側での下地枠体を介した上部構造部への取り付け状態を示す側面図である。
【図１７】従来の日除け（簾）を示す説明図である。
【考案を実施するための形態】
【００１７】
以下、本考案について、添付図面を参照しながら詳細に説明する。
図１及び図２は、本考案に係る開閉式日除けを示すものであり、この実施形態の開閉式日除け１０は、ベランダのフェンスＦと庇Ｒとの間に渡して設置されており、枠体２０と、開く方向が逆になった左右１組のシェード本体３０と、回転部材４０と、仮止め金具（ストッパ）５０と、連結手段６０と、を備えている。なお、図中符号Ｂはバルコニー、Ｄは防火壁、Ｇはガラス戸、Ｓは網戸を示す。
【００１８】
枠体２０は、大略構成として、上部枠２０Ａと、下部枠２０Ｂと、を備えており、いずれもアルミニウム材で押し出し成形によって形成されている。
【００１９】
このうち、上部枠２０Ａは、図３（Ａ）に示すような断面形状を有するとともに、下向きに開口するスリット２２Ａを設けたガイド室２１Ａを有しており、上部構造部であるコンクリート製の庇Ｒに取り付けられている。また、このガイド室２１Ａ内部のスリット２２Ａを挟んだ両側の内面（床面）には、並設された２列のガイドレール２３Ａが断面略凹溝形に設けられている。また、ガイド室２１Ａには、内面（内部の天井面）に、複数のねじ孔２４Ａが長さ方向(横方向)に沿ってそれぞれ所定の間隔をあけて設けられている。
【００２０】
下部枠２０Ｂは、図３（Ｂ）に示すような断面形状を有するとともに、上向きに開口するスリット２２Ｂを設けたガイド室２１Ｂを有しており、下部構造部であるアルミなどの金属製のフェンスＦに取り付けられている。このガイド室２１Ｂ内部のスリット２２Ｂを挟んだ両側の内面（天井面）には、並設された２列のガイドレール２３Ｂが、断面略凹溝形に設けられている。又、ガイド室２１Ｂには、内部の床面に、複数のねじ孔２４Ｂが、長さ方向(横方向)に沿ってそれぞれ所定の間隔をあけて設けられている。この下部枠２０Ｂは上部枠２０Ａと上下対称の形状であるため兼用することが可能である。これにより、上部枠２０Ａと下部枠２０Ｂとは別個に製作する必要がないため、コストの低減を図ることができる。
【００２１】
シェード本体３０は、図４に示すように、枠体２０内にスライド可能に立て付けるようになっており、開閉部３１と、この開閉部３１の両側に取付けた框部材３６とを備えている。
なお、このシェード本体を構成する開閉部としては、左右対称で一対のもの（１組）の他に、これと同じものを複数組引き分け可能な状態で設置してもよいし、同方向に光や風を取り込むように複数の同じ形状・構成のものを１組として引き分け可能な状態で２つ以上組み合わせてもよい。また、上記１組のものの他に、同方向に光や風を取り込むように同じ形状のものを引き分け可能に付加した構成など、各種の組み合わせ方が可能である。さらに、このシェード本体を、単一のものだけで構成してもよい。
【００２２】
このうち、開閉部３１は、図５に示す複数の板材（スラット）３３と、これらの板材３３を開閉自在に連結する連結部材である、図６に示す複数の連結杆３４とから構成されている。板材３３は、金属板材、樹脂板材、パンチングメタル板材、木板材等、その材質は特に限定されない。本実施形態では、図５に示すように、アルミニウム材で押し出し成形により一体に形成され、内部に複数のリブ３３Ａで仕切られた空間部３３Ｂを有し、両端部付近とほぼ中央部には断面略Ｃ字形のビス受け部３３Ｃが設けられ、一方の端部には断面略Ｃ字形のガスケット取付部３３Ｄが設けられている。ビス受け部３３Ｃにはねじ溝が設けられていないが、ビスをねじ込むことで内面にねじ溝が切られてビスを固定する、所謂、木ねじなどを用いるようにしてもよい。
【００２３】
板材３３の表面要所には微細な凹凸部（例えば、梨地加工や、エンボス加工など）が設けられている。即ち、リブ３３Ａに対応する一方の表面に微細な凸部３３Ｅが長手方向に沿ってそれぞれ設けられ、リブ３３Ａに対応する他方の表面には複数の微細な凹部３３Ｆが長手方向に沿ってそれぞれ設けられている。
【００２４】
微細な凸部３３Ｅは、開閉部３１が図４のように折り畳まれた時に、隣接する板材３３の表面同士が接触する面積を大幅に減少させて、板材３３の表面にすり傷が付かないように配慮したものである。複数の微細な凹部３３Ｆは、折り畳まれた時の凸部３３Ｅの衝撃力を緩和して、凸部３３Ｅによる凹み傷が極力生じないようにする。
【００２５】
また、微細な凸部３３Ｅ及び凹部３３Ｆは、縦縞模様としてデザイン要素の機能も発揮するが、単にデザインのためだけではなく板材表面の傷や色むらをぼかす役割を果たすものである。このため、微細な凹部３３Ｆはリブ３３Ａに対応する部分のみならず、ほぼ中央のビス受け部３３Ｃに対応する部分及び端部のビス受け部３３Ｃや、ガスケット取付部３３Ｄの周辺部にも設けるようにすると好ましい。
【００２６】
連結杆３４は、図６(Ａ）に示すようにアルミニウム材等の金属板で所定の幅及び長さを有する平板状に形成され、両端部付近と中央部にビス挿通孔３４１が設けられた長連結杆３４Ａと、同図(Ｂ）に示すようにアルミニウム材等の金属板で所定の幅及び長さを有する平板状に形成され、両端部付近にビス挿通孔３４１が設けられた短連結杆３４Ｂとから構成されている。この短連結杆３４Ｂの幅は長連結杆３４Ａと同じであるが、長さは長連結杆３４Ａのほぼ１／２になっており、最外部側の板材３３とそれより一つ内側の板材３３との間の連結用として設置している。
【００２７】
開閉部３１を形成するには、図７のように、複数の板材３３を（長連結杆３４Ａ及び短連結杆３４Ｂで構成の）複数の連結杆３４を用いて組み付ける。長連結杆３４Ａは、図６及び図７に示すように、その中央部のビス挿通孔３４１にビス３５を挿通し、このビス３５を板材３３の中央部のビス受け部３３Ｃにねじ込む。この時、図１０に示すように、ビス挿通孔３４１より若干小さい外径を有すると共に、長連結杆３４Ａの板厚より若干大きな高さを有するスリーブ３５Ａを介在させてビス３５をビス受け部３３Ｃに締め付け固定する。これにより、長連結杆３４Ａは、板材３３に対して堅固に固定されずに、スリーブ３５Ａを介して長連結杆３４Ａと板材３３とが相互に回動可能に取り付けられる。
【００２８】
長連結杆３４Ａの上端部は、その上端部のビス挿通孔３４１にビスを挿通し、このビスを図８で左側に隣接する板材３３の上端部のビス受け部３３Ｃにスリーブを介してねじ込む。長連結杆３４Ａの下端部は、図８で右側に隣接する板材３３の下端部にビスで取り付けられるが、この取り付けに際しては、図１１（Ａ）に示すように上部回転部材４０Ａの取り付けを兼ねる。尚、開閉部３１における板材３３の枚数は限定されず、開口部の大きさによって適宜決定される。
【００２９】
なお、図４に示すように、開閉部３１を構成する板材３３のうち、左右両端側のものには、框部材３６を取り付けてある。この框部材３６は、本実施形態では、左右の開閉部３１が互いに対称的な構成である一対の開閉部３１、３１において、それぞれ、最外端部の板材３３（つまり、左側の開閉部３１では最左端側の板材３３、右側の開閉部３１では最右端側の板材３３）に取り付けた外側框３６Ａと、左右の開閉部３１のうちの一方の開閉部３１に設けた連結框３６Ｂと、左右の開閉部３１のうちの他方の開閉部３１に設けた、連結框３６Ｂに連結可能な被連結框３６Ｃと、を備えている。
【００３０】
なお、連結框３６Ｂと被連結框３６Ｃとには、必要に応じて、左右一対の開閉部３１どうしを適宜連結させるための連結手段６０を付設している。
【００３１】
図７に示す外側框３６Ａは、上下両端部に、開閉部３１と同様、回転部材である後述の上部回転部材４０Ａ及び下部回転部材４０Ｂ（図３参照）が設けられており、ガイド室２１Ａ内部のガイドレール２３Ａ及びガイド室２１Ｂ内部のガイドレール２３Ｂに沿って自在にスライド動作できるようになっている。本実施形態では、ガイドレール２３Ａ、２３Ｂの左右両端部には、この上下のガイドレール２３Ａ、２３Ｂにそれぞれ上から被せるようにして装着させた、図示外の蓋材からなる脱落防止部材が設けられており、ガイドレールの左右両端部から開閉部３１が飛び出して脱落しないようになっている。
【００３２】
図８に示す連結框３６Ｂは、図１２（Ａ）に示すように、外形寸法が被連結框３６Ｃと同じ断面略矩形状の主框３６１Ｂと、この主框３６１Ｂに一体に取付けた断面横長矩形状の副框３６２Ｂとで構成されており、副框３６２Ｂには連結手段６０の錠前本体６１が内設されている。
【００３３】
図９に示す被連結框３６Ｃは、図１２（Ｂ）に示すように、連結部３６Ｂの主框３６１Ｂとほぼ同じ大きさ及び同じ形状のもので構成されており、一方（この実施形態では図４において右側のもの）の開閉部３１の最内部側の板材３３に設置されている。なお、この被連結框３６Ｃには、前述したように、錠前本体６１から飛出す鎌形の係止部が入り込む、被連結框３６Ｃに内設された受座６２が内設されている。
【００３４】
また、これら外側框３６Ａと、連結框３６Ｂと、被連結框３６Ｃとには、それぞれ、図４に示す後述の仮止め金具（ストッパ）５０が付設されており、所望の位置で仮止めさせることができるように構成されている。
【００３５】
回転部材４０は、上部枠２０Ａ及び下部枠２０Ｂにそれぞれ設けてあるガイドレールに、シェード本体３０側の開閉部３１を構成する各スラット(板材)３３の上端部及下端部側を、スライド自在に係合させるためのものであり、上部回転部材４０Ａと下部回転部材４０Ｂとで構成されている。
【００３６】
このうち、上部回転部材４０Ａは、図１１に示すように、直方体状の支持材４１Ａに水平軸４２Ａを介して取り付けられたベアリングローラ４３Ａから構成されており、支持材４１Ａには段付き孔４１１Ａが上下方向に貫設されている。この場合、水平軸４２Ａは、支持材４１Ａの取付部４１２Ａに対してベアリングローラ４３Ａを螺着しているビスで構成してあるが、これに限定されず、例えば図示を省略したシャフトなどを用いることができる。このシャフトを用いた場合には、ベアリングローラ４３Ａに替えて円筒状のローラを用いることができる。
【００３７】
ベアリングローラ４３Ａは、ほこり等の侵入を防ぐシールドタイプのものであって、被覆板４４Ａにより被覆されている内部にはグリースが収容されている。これにより、ベアリングローラ４３Ａが常時円滑に回転し、かつ、長期間の使用に耐え得るように配慮してある。
【００３８】
上部回転部材４０Ａと共に長連結杆３４Ａの他方の端部を板材３３に取り付けるには、図１１に示すように、支持材４１Ａの段付き孔４１１Ａの下端部にスリーブ４５Ａを嵌合し、このスリーブ４５Ａの突出下端部を長連結杆３４Ａのビス挿通孔３４１に挿通し、段付き孔４１１Ａの上端部からビス４６Ａをスリーブ４５Ａ内に落とし込んで、板材３３のビス受け部３３Ｃにねじ込む。これにより、長連結杆３４Ａは、板材３３に対して堅固に固定されずにスリーブ４５Ａを介して長連結杆３４Ａと板材３３とが相互に回動可能に取り付けられる。
【００３９】
上部回転部材４０Ａの支持材４１Ａもスリーブ４５Ａを介して若干の上下動が可能であり、かつ、支持材４１Ａと板材３３とが相互に回動可能に取り付けられる。なお、上部回転部材４０Ａは、複数の板材３３に対してベアリングローラ４３Ａが交互に相反位置となるように支持材４１Ａを板材３３にそれぞれ取り付けられる。
【００４０】
上部枠２０Ａのガイドレール２３Ａは、図３（Ａ）のように、支持材４１Ａを摺動させるスリット２２Ａを挟んで平行に２列設けられており、この２列のガイドレール２３Ａに対してベアリングローラ４３Ａが交互に２列に振り分けられて係合し、それぞれガイドレール２３Ａに沿って移動するように構成される(図１参照)。
【００４１】
開閉部３１において、図４で左端部に位置する板材３３は、図７に示すように、その中央部と、隣接する右側の板材３３の下端部との間に短連絡杆３４Ｂが取り付けられる。また、左端部の板材３３には、外側框３６Ａが補助部材３７を介してビス３５で固定される。
【００４２】
同じく、図４で左側の開閉部３１における右端部の長連結杆３４Ａ及び右側の開閉部３１における左端部の長連結杆３４Ａは、図１２（Ａ）に示すように、下端部が連結框３６Ｂの内側框３６１Ｂのビス受け部３６２Ｂにスリーブを介してビス３５で上部回転部材４０Ａ及び下部回転部材４０Ｂ（図３参照）と共に取り付けられる。
【００４３】
下部回転部材４０Ｂは、図１１（Ｂ）に示すように、垂直軸４１Ｂを介して取り付けられた円筒状のローラ４２Ｂから構成されており、垂直軸４１Ｂにはビス４１Ｂを用いてあるが、図示を省略したシャフトであってもよい。
【００４４】
下部回転部材４０Ｂを連結杆３４と共に板材３３に取り付けるには、図１１（Ｂ）に示すようにローラ４２Ｂにスリーブ４３Ｂを嵌合し、このスリーブ４３Ｂの突出上端部を、例えば長連結杆３４Ａのビス挿通孔３４１に挿通し、板材３３のビス受け部３３Ｃにねじ込む。これにより、長連結杆３４Ａは、板材３３に対して堅固に固定されずにスリーブ４３Ｂを介して長連結杆３４Ａと板材３３とが相互に回動可能に取り付けられる。そして、ローラ４２Ｂはスリーブ４３Ｂを介して回転可能となる。
この下部回転部材４０Ｂは、上部回転部材４０Ａと同様に、一直線状に位置するようにそれぞれ取り付け、図１の下部枠２０Ｂのスリット２２Ｂ（図３（Ｂ）参照）に沿って移動できるように構成する。
【００４５】
図２に示す仮止め金具（ストッパ）５０は、シェード本体の開閉部３１を適宜に開閉させた状態で、所望の場所で仮止めさせるものである。本実施形態の仮止め金具（ストッパ）５０には、図示外のフランス錠（フランス落とし）が用いられており、手で押し下げて下部枠２０Ｂの適宜の部位に下端を押圧させることで、下部枠２０Ｂに一時的に仮止めさせるようになっている。なお、本実施形態の仮止め金具（ストッパ）５０には、フランス落とし（フランス錠）を用いたが、特にこれに限定されるものではない。
【００４６】
連結手段６０は、開閉部３１の開き方向（風と光の取込み方向）が互いに逆になった左右１組のシェード本体３０どうしを必要に応じて適宜一体に連結させるためのものである。本実施形体の連結手段６０は、鎌錠で構成されており、図１２に示すように、連結框３６Ｂに内設された錠前本体６１と、この錠前本体６１から飛出す鎌形の係止部が入り込む、被連結框３６Ｃに内設された受座６２と、この鎌錠でのロックおよびロック解除の操作を行うために、錠前本体６１に取付けられたレバー６３とで構成されている。
なお、この連結手段６０としては、本実施形態のような錠のほかに、例えば鉄などのような磁性体とこれに磁気的に吸着する永久磁石などで構成してもよいし、さらに別の適宜の手段で構成してもよい。
【００４７】
従って、本実施形態によれば、図２に示すように、バルコニーの開口部の略全体を覆うように広げることにより、光（例えば、西日）及び風の通過を最小限に抑えるようにすることができる（図１３（Ａ）参照）。また、框部材を左右に適宜スライド移動させることにより、即ち、図１３（Ａ）に示す全閉状態から、外側框３６Ａを右方へ移動させることによって、光及び風の通過を図１３（Ｂ）、（Ｃ）のように好みの量に調整することができる。
【００４８】
また、本実施形態のようなシェード本体３１の開閉部３１が左右対称的な一対のもので構成されている場合には、例えば図１４において、同図（Ａ）に示すように、左右一体に連結させた状態である開閉部３１をそのまま、左右両端側の外側框３６Ａを互いに接近するように引き寄せると、同図（Ｂ）に示すように、バルコニーの開口部に対する閉鎖長さは縮まるが、各板材（スラット）３３間の隙間を設けることができる。従って、光や風の流れる方向が左右いずれの方向からであってもその隙間からの通過を許容することができる。
【００４９】
また、同図（Ｃ）に示すように、中央部からシェード本体３０の開閉部３１を退避させる（図１４参照）ように連結状態を解いて、バルコニーの開口部に対して右側半分の開閉部３１を略オープン状態にするとともに、左側の開閉部３１を隙間を持たせたまま閉じておくことで、片側のみ光（例えば、西日など）を遮断させることができる。
また、図１５に示すように、左右一対の開閉部３１をそれぞれ左右に引き分けることで、バルコニーの開口部を広く開放させることもできる。
【００５０】
このように、本実施形態によれば、西日だけでなく、夏場の日中の強い日差しの差し込みによる室内の温度上昇を防止して省エネ対策用などとしても用いることもできる。
さらに、本実施形態によれば、単なる日差し対策だけではなく、例えば、マンション等の集合住宅におけるベランダなどでのプライバシー確保に用いたり、建て込んだ狭い場所などに建てられたアパートなどにおいて接近した隣の建物の窓から覗かれるのを防止する目隠しとして用いたり、干している洗濯物などを安全に守るためのプライバシー保護及び盗難防止対策などとして用いることもできる。
またこれ以外に、単身者や共働きの夫婦などが洗濯物をベランダなどに干して丸一日外出するような場合に、途中で雨が降ってきて濡れたりするのを防止する雨除けなどとして用いることもできるなど、各種の幅広い用途に適用できる。
【００５１】
（第２の実施形態）
例えば、建物の開口部に取り付けられているサッシュ又はサッシュに装備されている網戸が外壁面より外方に突出している場合がある。このような場合には、枠体２０を外壁面に直付けすると、例えばシェード本体３０がサッシュ又は網戸Ｓに接触して開閉できず、或いは開閉に支障を来たすことがある。
【００５２】
そこで、本考案では、このような場合に、第２の実施形態の開閉式日除けとして、建物の外壁に専用の下地枠体７０（図１６参照）を取り付けるとともに、この下地枠体７０に対して枠体２０を取り付けることにより、開閉式日除けを設置するように構成している。
【００５３】
本実施形態の下地枠体７０は、枠体２０と同様、上部枠７０Ａ及び下部枠（図略。但し、下部枠は、上部枠７０Ａを上下反転させたものであって、実質的には同一のもので構成される。）で構成されている。
【００５４】
このうち、上部枠７０Ａには上部枠２０Ａが螺着され、図示外の下部枠には下部枠２０Ｂが螺着される。なお、この下地枠体７０の上部枠７０Ａ及び図示外の下部枠は、シェード本体３０、枠体２０の上部枠２０Ａ及び下部枠２０Ｂと同一材料であるアルミニウム材で形成されている。
【００５５】
従って、本実施形態によれば、シェード本体３０とサッシュ又は網戸との間に充分な空間を保持して接触を防止しながら、開閉式日除けが設置可能となる。しかも、下地枠体としては、従来例えば木材からなる角材を利用する技術が知られているが、本実施形態では、アルミニウム材からなる枠体２０と材質が同一であるため外観や体裁も確保できるようになっている。
【００５６】
なお、本考案は、上記の実施形態に限定されるものではなく、各種の態様が適用可能である。
【産業上の利用可能性】
【００５７】
本考案は、上述したように、光と風の通過量を簡単に調整して日除けとして用いるだけでなく、例えば単身者や共働きの夫婦などが洗濯物をベランダなどに干して丸一日外出するような場合に途中で雨が降ってきて濡れたりするのを防止する雨除けとして用いたり、マンション等の集合住宅におけるベランダのプライバシー確保に用いたり、建て込んだ狭い場所などに建てられたアパートなどにおいて接近した隣の建物の窓から覗かれるのを防止する目隠しとして用いたり、干している洗濯物などを安全に守るためのプライバシー保護及び盗難防止対策として用いたり、夏場の日差しの差し込みによる室内の温度上昇を防止して省エネ対策に用いるなど、各種の幅広い用途に適用できる。
【符号の説明】
【００５８】
１０    開閉式日除け
２０    枠体
２０Ａ    上部枠
２０Ｂ    下部枠
２２    スリット
２１Ａ    ガイド室
２２Ａ    スリット
２３Ａ    ガイドレール
２４Ａ    ねじ孔
２２Ｂ    スリット
２１Ｂ    ガイド室
２３Ｂ    ガイドレール
２４Ｂ    ねじ孔
３０    シェード本体
３１    開閉部
３６    框部材
３３    板材（スラット）
３４    連結杆
３３Ａ    リブ
３３Ｂ    空間部
３３Ｃ    ビス受け部
３３Ｄ    ガスケット取付部
３３Ｅ    凸部
３３Ｆ    凹部
３４Ａ    長連結杆
３４１    ビス挿通孔
３４Ｂ    短連結杆
３６    框部材
３６Ａ    外側框
３６Ｂ    連結框
３６Ｃ    被連結框
４０    回転部材
４０Ａ    上部回転部材
４０Ｂ    下部回転部材
５０    仮止め金具（ストッパ）
６０    連結手段
７０    下地枠体
７０Ａ    上部枠
Ｂ    バルコニー
Ｄ    防火壁
Ｆ    フェンス（下部構造部）
Ｇ    ガラス戸
Ｒ    庇（上部構造部）
Ｓ    網戸
【図１】
0003156356.tif 000003
【図２】
0003156356.tif 000004
【図３】
0003156356.tif 000005
【図４】
0003156356.tif 000006
【図５】
0003156356.tif 000007
【図６】
0003156356.tif 000008
【図７】
0003156356.tif 000009
【図８】
0003156356.tif 000010
【図９】
0003156356.tif 000011
【図１０】
0003156356.tif 000012
【図１１】
0003156356.tif 000013
【図１２】
0003156356.tif 000014
【図１３】
0003156356.tif 000015
【図１４】
0003156356.tif 000016
【図１５】
0003156356.tif 000017
【図１６】
0003156356.tif 000018
【図１７】
0003156356.tif 000019